(57)【特許請求の範囲】
【請求項１】
操作部に並んで配置された複数のボタンと、
前記操作部の内側に配置された桟照明光源と、
前記操作部に配置された隣り合うボタンの間から外部に露出された意匠部、一端が前記意匠部と一体に形成された透光部、及び前記透光部の他端から外側に張り出した鍔形状の鍔部を有した透光性の桟部材と、を備え、
前記意匠部は、前記桟照明光源から照射された光で照明され、前記桟照明光源から光が照射されない状態では金属光沢となり、
前記鍔部は、前記桟照明光源から照射された前記光を取り込む入力部である
ボタンの加飾桟構造。
【請求項２】
前記操作部の内側に配置されたボタン照明光源を備え、
前記複数のボタンの各ボタン面の一部は、前記ボタン照明光源から照射された光を透過
し、
前記桟照明光源と前記ボタン照明光源は、互いに異なる発色状態で光を照射することを
特徴とする請求項１記載のボタンの加飾桟構造。
【請求項３】
操作部を有する筐体と、
操作部に並んで配置された複数のボタンと、
前記操作部の内側に配置された桟照明光源と、
前記操作部に配置された隣り合うボタンの間から外部に露出された意匠部、一端が前記意匠部と一体に形成された透光部、及び前記透光部の他端から外側に張り出した鍔形状の鍔部を有した透光性の桟部材と、を備え、
前記意匠部は、前記桟照明光源から照射された光で照明され、前記桟照明光源から光が照射されない状態では金属光沢となり、
前記鍔部は、前記桟照明光源から照射された前記光を取り込む入力部である
電子機器。
【発明の詳細な説明】
【技術分野】
【０００１】
この発明は、ボタンのボタン面の外形に沿った桟に相当する部分（以下、桟部分と記載する）を暗所で照明し、照明していないときには桟部分が金属光沢を有するボタンの加飾桟構造およびこれを備えた電子機器に関する。
【背景技術】
【０００２】
従来から、夜間におけるボタンの操作性を向上させるために、ボタンの文字部と桟部分とを照明する操作部を備えた車載用の電子機器が知られている。
例えば、特許文献１には、操作ボタンの桟部分に透光部材を設けた電子機器が記載されている。この透光部材は、操作ボタンの桟部分から露出した意匠部および機器内部の光源からの光を入力する入力部を有した透光部と、この透光部における入力部から意匠部への光の進行方向周りに設けられた遮光部とを有する。遮光部は、透光部材をボタンの桟部分に位置決めする機能と、上記光源からの光が透光部の周りから漏れることを防止する機能とを有している。
【先行技術文献】
【特許文献】
【０００３】
【特許文献１】特開２０１０−１０２８８５号公報
【発明の概要】
【発明が解決しようとする課題】
【０００４】
特許文献１には、ボタンの桟部分の意匠性を向上させるために、透光部材の入力部に種々の加工を施して意匠部から放射される光の模様を変化させることが記載されている。また、光を拡散させる曲面形状を意匠部に採用して、意匠部から放射される光を穏やかにすることも記載されている。さらに、透光部の材料である透光性樹脂に任意の稀薄色または色のグラデーションなどを付加して透光部材に色彩を持たせることも記載されている。
【０００５】
このように、特許文献１に記載される透光部材は、照明されることを前提としているので、例えば日中に光源が消灯された状態では、意匠性が悪くなる場合があるという課題があった。すなわち、光源を消灯した場合、意匠部には、前述のような入力部に施した種々の加工の効果が現れず、意匠部を曲面形状にした効果も得られない。
また、透光性樹脂を着色した場合、光源が点灯されている場合と消灯している場合とで透光部材の見た目が変わり、透光部材の意匠性がかえって悪くなる可能性がある。
【０００６】
この発明は上記課題を解決するもので、夜間などの暗い環境においてのボタン操作性が向上し、日中などの明るい環境において意匠性を向上させることができるボタンの加飾桟構造および電子機器を得ることを目的とする。
【課題を解決するための手段】
【０００７】
この発明に係るボタンの加飾桟構造は、複数のボタン、桟照明光源、桟部材を備える。複数のボタンは、操作部に並んで配置されている。桟照明光源は、操作部の内側に配置されている。桟部材は、透光性を有し、操作部に配置された隣り合うボタンの間から外部に露出された意匠部、一端が意匠部と一体に形成された透光部、及び透光部の他端から外側に張り出した鍔形状の鍔部を有する。意匠部は、桟照明光源から照射された光で照明され、桟照明光源から光が照射されない状態では金属光沢となる。鍔部は、桟照明光源から照射された光を取り込む入力部である。
【発明の効果】
【０００８】
この発明によれば、桟部材が、複数のボタンが並んだ方向に沿って各ボタンに隣接して設けられ、金属光沢を有しかつ光源からの光を透過する。この構成を有することで、夜間などの暗い環境においてボタンの桟部分を桟照明光源で照明することでボタン操作性が向上し、日中などの明るい環境では桟照明光源で照明しなくても金属光沢の桟部分となって意匠性を向上させることができる。
【図面の簡単な説明】
【０００９】
【図１】この発明に係るボタンの加飾桟構造を備えた電子機器を示す正面図である。
【図２】図１の電子機器の構成を示す分解斜視図である。
【図３】図１の電子機器における操作部の構成を示す分解斜視図である。
【図４】図４Ａは、操作部を、図１のＡ−Ａ線で切った断面を示す断面矢示図である。図４Ｂは、図４ＡのＢ部分を示す断面拡大図である。
【図５】図５Ａは図１の電子機器の内側からみた前面パネルを示す図である。図５Ｂは図５ＡのＣ部分を示す拡大図である。図５Ｃは実施の形態１における桟部材を示す斜視図である。図５Ｄは、実施の形態１における別の構成の桟部材を示す断面図である。
【図６】実施の形態１における桟部材の具体的な構成を示す斜視図である。
【発明を実施するための形態】
【００１０】
実施の形態１．
図１は、この発明に係るボタンの加飾桟構造を備えた電子機器１を示す正面図である。
電子機器１は、例えば、カーナビゲーション装置などの車載用の電子機器であり、図１に示す構成では、機器筐体の前面パネルに表示部２と操作部３が設けられている。
表示部２は、電子機器１における情報処理の結果を表示画面に表示する。操作部３は、情報の入力を受け付ける構成要素であり、複数のボタン４および桟部材５を備える。
【００１１】
ボタン４は、透光性がある樹脂などの材料で形成され、ボタン面の文字部４ａの部分を除いて遮光性の表面処理が施されている。また、複数のボタン４は、図１に示すように、操作部３に並んで配置される。
桟部材５は、操作部３に配置された隣り合うボタン４の間から外部に露出された意匠部を有する部材であり、この意匠部が、操作部３の内側に配置された光源の光で照明され、光が照射されない状態では金属光沢となる。
【００１２】
操作部３は、暗所におけるボタン操作性を向上させるために、各ボタン４のボタン面に形成した文字部４ａと桟部材５の両方が照明されるように構成されている。
特に、桟部材５を照明することで、ユーザは、暗所においても隣り合うボタン４の境界を視覚的に識別することができる。
また、桟部材５は、照明していない状態では白昼光などの外部から入射された光を反射して金属光沢となる。これにより、高級感のある意匠を実現することができる。
【００１３】
図２は図１の電子機器１の構成を示す分解斜視図であり、操作部３の構成要素について記載している。複数のボタン４と桟部材５は、図２に示すように、それぞれ一列に並んだ状態でホルダ部材７に組み付けられ、ホルダ部材７は、操作部３の内側から前面パネルに取り付けられる。このように並んだ複数のボタン４と桟部材５は、操作部３に形成された孔部３ａを通して前面パネルから外部に露出される。
【００１４】
図３は、図１の電子機器１における操作部３の構成を示す分解斜視図である。図４Ａは、操作部３を、図１のＡ−Ａ線で切った断面を示す断面矢示図である。図４Ｂは、図４ＡのＢ部分を示す断面拡大図である。図５Ａは、図１の電子機器１の内側からみた前面パネルを示す図である。図５Ｂは、図５ＡのＣ部分を示す拡大図である。図５Ｃは実施の形態１における桟部材５を示す斜視図である。図５Ｄは実施の形態１における別の構成の桟部材５Ａを示す断面図であり、桟部材５Ａを意匠部５ｃの長手方向に沿って切った断面を示している。
【００１５】
ホルダ部材７は、遮光性の樹脂などの材料で形成され、複数のボタン４と桟部材５とを保持する部材であり、図３に示すように、個々のボタン４を嵌め込むための内枠部７ａを備える。また、これらの内枠部７ａが並んだ列の両端部と隣り合った内枠部７ａの間には貫通孔がそれぞれ形成されている。これらの貫通孔に桟部材５をそれぞれ通して取り付けることで、桟部材５は、ボタン４の桟部分に配置される。
【００１６】
基板８は、ホルダ部材７における、ボタン４が配置された側とは反対側に取り付けられる。また、基板８には、桟照明光源９ａ、ボタン照明光源９ｂおよびスイッチ１０が実装されている。
桟照明光源９ａは、操作部３の内側から桟部材５を照明するための光源であり、ＬＥＤ（Ｌｉｇｈｔ  Ｅｍｉｔｔｉｎｇ  Ｄｉｏｄｅ）などの発光素子によって実現される。
また、桟照明光源９ａは、外部から直接視認されないように、ボタン４と桟部材５との隙間から望む電子機器１内の位置からずらし、かつ意匠部５ｃの直下からずらした位置に配置される。これにより、ボタン４と桟部材５との隙間からの光漏れと光目玉が発生することを防止できる。
【００１７】
ボタン照明光源９ｂは、操作部３の内側から各ボタン４を照明するための光源であり、桟照明光源９ａと同様にＬＥＤを用いてもよい。
スイッチ１０は、ボタン４の押下操作によってオンオフされるスイッチである。
【００１８】
内枠部７ａは、遮光性のホルダ部材７に一体に形成され、ボタン４が嵌合される枠形状を有する。また、内枠部７ａは、図４Ａおよび図４Ｂに示すようにボタン４が配置される側と基板８が配置される側とが貫通している。ボタン照明光源９ｂからの光は、この貫通した部分を通ってボタン４の裏面側に照射される。
【００１９】
また、ホルダ部材７の基板８が配置される側には遮光壁７ｂが形成されている。遮光壁７ｂは、桟照明光源９ａとボタン照明光源９ｂとの間を遮光する壁部である。遮光壁７ｂの端面部は、桟照明光源９ａから照射された光とボタン照明光源９ｂから照射された光とが混ざらない程度に、基板８に接触または接近した状態となっている。
【００２０】
ホルダ部材７において、上記貫通孔を設けた、基板８が配置される側の部位には、取り付け部７ｃが形成されている。貫通孔に通された桟部材５は、図５Ａおよび図５Ｂに示すように、取り付け部７ｃに取り付けられる。
また、図５Ｃに示すように、桟部材５は、透光性のある樹脂などの材料を用いて、鍔部５ａ、透光部５ｂおよび意匠部５ｃを一体に形成した部材である。
【００２１】
鍔部５ａは、透光部５ｂの一端から外側に張り出した鍔形状を有しており、ボス用孔部５ｄが形成されている。また、鍔部５ａは、桟照明光源９ａから照射された光を取り込む入力部としての役割も有する。例えば、鍔部５ａの下部が、桟照明光源９ａから照射された光の径が収まる程度の面積であれば、桟照明光源９ａからの光を効率よく入力することができる。
【００２２】
桟部材５は、取り付け部７ｃに形成されたボス７ｄがボス用孔部５ｄに通されてから熱溶着されることで、取り付け部７ｃに取り付け固定される。
なお、桟部材５は、ボス７ｄを熱溶着せずに、ボス７ｄがボス用孔部５ｄに圧入されることで、取り付け部７ｃに固定されてもよい。
また、桟部材５は、取り付け部７ｃにボス７ｄを設けず、鍔部５ａが取り付け部７ｃにねじ締めされることで、取り付け部７ｃに固定されてもよい。
さらに、桟部材５は、前述のようにホルダ部材７の取り付け部７ｃに取り付けてもよいが、ホルダ部材７を省略し、前面パネルの操作部３の裏側に取り付けられる構成にしてもよい。
【００２３】
透光部５ｂは、図５Ｃに示すように鍔部５ａから意匠部５ｃへ向けて長く延びた板形状を有しており、一端が鍔部５ａと一体に形成され、他端が意匠部５ｃと一体に形成されている。桟照明光源９ａから鍔部５ａの下部に入力された光は、透光部５ｂによって意匠部５ｃまで導光される。
【００２４】
意匠部５ｃは、各ボタン４の桟部分から外部に露出された透光部５ｂの矩形状の端面部であって、金属光沢の装飾が施されている。
金属光沢の装飾は、例えば、ハーフミラー蒸着、フィルムインモールド、ホットスタンプなどの方法を用いて、意匠部５ｃから光が放射可能な程度に薄い金属膜を形成したものである。なお、ホットスタンプまたはフィルムインモールドは意匠部５ｃに施され、意匠部５ｃ以外の部分には遮光性の装飾が施される。また、ホットスタンプまたはフィルムインモールドで鍔部５ａの光入射面側に金属光沢の装飾を施してもよい。
ハーフミラー蒸着は、意匠部５ｃ、透光部５ｂおよび鍔部５ａに施してもよい。また、ハーフミラー蒸着は、鍔部５ａの下部の光入射面側に施してもよい。
すなわち、少なくとも意匠部５ｃに光透過可能な金属膜があればよく、金属光沢の装飾を施す各製法の特徴に応じて様々に変更可能である。
また、図５Ｄに示すように、透光部５ｂが短く鍔部５ａが厚い桟部材５Ａを用いれば、ホットスタンプまたはフィルムインモールドで意匠部５ｃの他に、透光部５ｂ、鍔部５ａの意匠側の面にも金属光沢の装飾を施すことができる。
なお、桟部材５と同様に、桟部材５Ａにおける鍔部５ａの光入射面側にも、ホットスタンプまたはフィルムインモールドで金属光沢の装飾を施すことが可能である。
【００２５】
図６は、実施の形態１における桟部材５の具体的な構成を示す斜視図である。桟部材５は、互いに異なる光透過率の樹脂を２色成形して構成してもよい。すなわち、透光部５ｂが、互いに異なる光透過率の樹脂からなる透光部５ｂ−１，５ｂ−２で構成されており、例えば、鍔部５ａおよび透光部５ｂ−１が意匠部５ｃおよび透光部５ｂ−２よりも光透過率が低い樹脂で形成されている。
【００２６】
鍔部５ａは、桟照明光源９ａの近傍に配置されているため、光透過率が低い樹脂で形成されていても十分な光が入射されて透光部５ｂ−１に導かれる。さらに、透光部５ｂ−１を通った光は、光透過率の高い樹脂で形成された透光部５ｂ−２を通って意匠部５ｃに導かれる。このように構成することで、桟照明光源９ａによって桟部材５が照明されたときにボタン４と桟部材５との間から漏れる光よりも意匠部５ｃから放射される光の方が強調され、暗所での意匠性の向上を図ることができる。
なお、光透過率の異なる２種類の樹脂で桟部材５を形成する場合を示したが、鍔部５ａ側から意匠部５ｃへ向けて徐々に光透過率が高くなるように光透過率の異なる３種類以上の樹脂を使用して形成してもかまわない。
【００２７】
桟照明光源９ａおよびボタン照明光源９ｂによる光の照射は、電子機器１に設けた図示しない制御部によって制御される。これにより、ボタン４の文字部４ａおよび桟部材５の意匠部５ｃの照明の状態を変更することができる。
【００２８】
例えば、電子機器１が車載用電子機器である場合、車両のアクセサリスイッチのオンまたは車室内に設けた輝度センサのセンサ情報に基づいて、制御部が、車室内が暗くなったか否かを判定する。車室内が暗くなったと判定すると、制御部は、桟照明光源９ａおよびボタン照明光源９ｂを点灯し、ボタン４の文字部４ａおよび桟部材５の意匠部５ｃを照明する。これにより、ユーザは、夜間などの暗所においてボタン４の文字部４ａおよび隣り合うボタン４の境界を視覚的に識別できる。
【００２９】
車室内が明るいと判定した場合、制御部は、ボタン照明光源９ｂを点灯し、ボタン４の文字部４ａのみを照明する。このとき、桟部材５の意匠部５ｃは、白昼光などの外部から入射された光を反射して金属光沢となる。これにより、ボタン４の桟部分における高級感のある意匠を実現することができる。
【００３０】
また、暗所でボタン４の文字部４ａおよび桟部材５の意匠部５ｃを照明する場合、桟照明光源９ａとボタン照明光源９ｂが、互いに異なる色の光を照射してもよい。
例えば、ボタン照明光源９ｂが、白色、黄色などの明るい色の光を照射し、桟照明光源９ａが緑色などの暗い色の光を照射する。これにより、ボタン４の文字部分が明るい色で照明され、ボタン４の桟部分が暗い色で照明される。
また、ボタン４ごとに文字部４ａの照明光の色を変える、または、桟部材５ごとの照明光の色を変えてもよい。
このようにすることでも、文字部４ａおよびボタン４同士の境界が強調されてユーザの視認性が向上する。
【００３１】
電子機器１が暗所にあるか否かによらず、制御部が、ボタン４の文字部４ａおよび桟部材５の意匠部５ｃを照明するよう制御してもよい。この場合、桟照明光源９ａおよびボタン照明光源９ｂは、互いに異なる発色状態で光を照射する。
例えば、制御部は、ボタン４の文字部４ａおよび桟部材５の意匠部５ｃの各照明を暗所の場合よりも明所であるときに輝度が高くなるように、桟照明光源９ａおよびボタン照明光源９ｂによる光の照射を制御する。
このように構成することでも、ユーザから照明光によってボタン４の桟部分と文字部分とが異なる意匠であるように見え、ボタン４の視認性の向上を図ることができる。
【００３２】
以上のように、実施の形態１に係るボタンの加飾桟構造において、桟部材５が、操作部３に配置された隣り合うボタン４の間から外部に露出された意匠部５ｃを有する。意匠部５ｃが、桟照明光源９ａから照射された光で照明され、桟照明光源９ａから光が照射されない状態では金属光沢となる。これにより、夜間などの暗い環境においてボタン４の桟部分を桟照明光源９ａで照明することでボタン操作性が向上し、日中などの明るい環境では桟照明光源９ａで照明しなくても金属光沢の桟部分となって意匠性を向上させることができる。
【００３３】
また、実施の形態１に係るボタンの加飾桟構造において、操作部３の内側に配置されたボタン照明光源９ｂを備え、複数のボタン４の各ボタン面の一部は、ボタン照明光源９ｂから照射された光を透過する。さらに、桟照明光源９ａとボタン照明光源９ｂは、互いに異なる発色状態で光を照射する。このように構成することで、照明光によってボタン４の桟部分と文字部分とを異なる意匠となり、ボタンの視認性が向上する。
【００３４】
さらに、実施の形態１に係る電子機器１は、操作部３を有する筐体、複数のボタン４、桟照明光源９ａおよび桟部材５を備える。このように構成することで、上記と同様な構成が得られる電子機器１を提供することができる。
【００３５】
なお、本発明はその発明の範囲内において、実施の形態の任意の構成要素の変形、もしくは実施の形態の任意の構成要素の省略が可能である。
【符号の説明】
【００３６】
１  電子機器、２  表示部、３  操作部、３ａ  孔部、４  ボタン、４ａ  文字部、５，５Ａ  桟部材、５ａ  鍔部、５ｂ，５ｂ−１，５ｂ−２  透光部、５ｃ  意匠部、５ｄ  ボス用孔部、７  ホルダ部材、７ａ  内枠部、７ｂ  遮光壁、７ｃ  取り付け部、７ｄ  ボス、８  基板、９ａ  桟照明光源、９ｂ  ボタン照明光源、１０  スイッチ。
【図１】
0006570458.tif 000002
【図２】
0006570458.tif 000003
【図３】
0006570458.tif 000004
【図４】
0006570458.tif 000005
【図５】
0006570458.tif 000006
【図６】
0006570458.tif 000007